(57)【要約】【課題】本発明は、原稿が詰まった場合の読取再開処理で読み取ったページの欠落及び重複を防止する画像読取装置及び画像読取方法を実現することにある。【解決手段】原稿読取装置１は、読取処理の再開前の順番と逆順にセットされた原稿を読み取るとともに読み取られた画像データを再開前の順番で記憶部に記憶させる読取再開処理部４２と、再開前に記憶された画像データと再開後に記憶された画像データを比較する画像データ判定部４３と、再開後に読み取られた画像データを記憶するとともに画像データ判定部４３により再開前に記憶された画像データと一致すると判定された画像データを削除して再開後の画像データを再開前の画像データと合体させる再開画像データ記憶部６２とを備えている。【選択図】図２
2014179832.tif 000002
【特許請求の範囲】
【請求項１】
複数枚の原稿を搬送する自動原稿搬送部と、搬送された原稿を読み取る読取処理部と、読み取られた原稿の画像データを記憶する記憶部とを備える画像読取装置であって、読取処理の再開前の順番と逆順にセットされた原稿を読み取るとともに読み取られた画像データを再開前の順番で前記記憶部に記憶させる読取再開処理部と、読取処理の再開前に読み取られて記憶された画像データと読取処理の再開後に読み取られて記憶された画像データを比較する画像データ判定部と、読取処理の再開後に読み取られた画像データを記憶するとともに前記画像データ判定部により再開前に記憶された画像データと一致すると判定された画像データを削除して再開後の画像データを再開前の画像データと合体させる再開画像データ記憶部とを備えている画像読取装置。
【請求項２】
前記画像データ判定部は、再開前に読み取られた最後の連続する３ページ分の画像データと再開後に読み取られた最新の連続する３ページ分の画像データをそれぞれ比較してすべて一致するか判定する請求項１に記載の画像読取装置。
【請求項３】
前記自動原稿搬送部は、前記画像データ判定部により画像データが一致すると判定された場合に読み取られていない残りの原稿をそのまま排出する請求項１又は２に記載の画像読取装置。
【請求項４】
複数枚の原稿を搬送し、搬送中の原稿を読み取って読み取られた原稿の画像データを記憶する画像読取方法であって、読取処理の再開前の順番と逆順にセットされた原稿を読み取るとともに読み取られた画像データを再開前の順番で記憶し、読取処理の再開前に読み取られて記憶された画像データと読取処理の再開後に読み取られて記憶された画像データを比較し、再開前に記憶された画像データと再開後に記憶された画像データが一致すると判定された場合に一致する画像データを削除して再開後の画像データを再開前の画像データと合体させる画像読取方法。
【発明の詳細な説明】
【技術分野】
【０００１】
本発明は、原稿を搬送しながら読取処理を行って読取画像を記憶する画像読取装置及び画像読取方法に関する。
【背景技術】
【０００２】
画像読取装置では、自動原稿搬送装置により複数ページの原稿を１枚ずつ搬送して、原稿の片面又は両面の画像を読み取り、読み取った画像を記憶する。原稿の読取処理中に自動原稿搬送装置で何らかの原因により搬送中の原稿が詰まることがある。この場合、再度原稿を自動原稿搬送装置にセットして読取処理を再開し、原稿詰まりが発生した時点での最終ページの画像と読取再開時に読み取ったページの画像を比較することで、読み取ったページの欠落や重複を防止する技術が提案されている。
特許文献１では、ＡＤＦを使用して原稿の読み取りを行ってジャムが発生したときは、ＡＤＦを使用して原稿の読み取りを再開する場合に、原稿を一面読み取るごとにインクリメントされる変数ｐをチェックしている。変数ｐが奇数のときは、原稿の表面のスキャン後、裏面のスキャン前にジャムになった場合なので、ジャム発生時点でのｐページの原稿の画像をメモリから削除する点が開示されている。また、特許文献２では、画像読み込み時に原稿詰まりが発生した後の再読み込み時にページの連続性を容易に確保可能にする目的で、再読み込み時の最初の原稿の表裏両面の画像を再読込用記憶領域に格納する。そして、ジャム発生前に正常に読み込まれた最終ページの画像と比較し、画像の一致するページが存在する場合にそのページに対応する画像を再読込用記憶領域から削除する点が開示されている。
【発明の概要】
【発明が解決しようとする課題】
【０００３】
従来の画像読取装置の読取再開処理では、詰まった原稿とそれ以降の原稿を自動原稿搬送装置にセットして原稿が詰まる前に読み取った最終ページの画像データと読取再開時に読み取ったページの画像を比較している。そして、画像データの内容が一致した場合は、原稿を重複して読み取ったと判断して、読取再開したページの画像データを削除しているが、読み取った原稿に連続した同一データのページがあった場合、ページの欠落が発生してしまうという問題があった。
本発明は、こうした従来技術の課題に鑑みてなされたものであり、原稿が詰まった場合の読取再開処理で読み取ったページの欠落及び重複を防止する画像読取装置及び画像読取方法を実現することにある。
【課題を解決するための手段】
【０００４】
本発明に係る画像読取装置は、複数枚の原稿を搬送する原稿搬送部と、搬送された原稿を読み取る読取処理部と、読み取られた原稿の画像データを記憶する記憶部とを備える画像読取装置であって、読取処理の再開前の順番と逆順にセットされた原稿を読み取るとともに読み取られた画像データを再開前の順番で前記記憶部に記憶させる読取再開処理部と、読取処理の再開前に読み取られて記憶された画像データと読取処理の再開後に読み取られて記憶された画像データを比較する画像データ判定部と、読取処理の再開後に読み取られた画像データを記憶するとともに前記画像データ判定部により再開前に記憶された画像データと一致すると判定された画像データを削除して再開後の画像データを再開前の画像データと合体させる再開画像データ記憶部とを備えている。
【発明の効果】
【０００５】
本発明は、上記の構成を備えることで、画像読取時に原稿搬送部で原稿が詰まった場合の読取再開処理で、読み取ったページの欠落及び重複を防止することができる。
【図面の簡単な説明】
【０００６】
【図１】本発明の実施形態である画像読取装置を備えた画像形成装置の概略構造を示す正面図である。
【図２】原稿読取装置に関するブロック構成図である。
【図３】原稿読取処理に関するフローである。
【図４】画像データの比較処理に関する説明図である。
【発明を実施するための形態】
【０００７】
以下、本発明の実施形態について図面を用いて説明する。図１は、本発明の実施形態である画像読取装置を備えた画像形成装置の概略構造を示す正面図である。画像形成装置は、原稿を読み取って画像データを得る画像読取装置である原稿読取装置１と、原稿読取装置１で読み取った画像データに基づいて電子写真方式で用紙上に画像形成を行うプリンタ２とを備えている。
【０００８】
原稿読取装置１は、原稿を読み取る読取手段である第１読取部３及び第２読取部４、原稿をセットする原稿トレイ５、読み終えた原稿を排出する原稿排紙トレイ６、原稿を第１読取部３及び第２読取部４に対向するように搬送する原稿搬送経路７を備えている。そして、原稿搬送経路７に沿って配置されて原稿を搬送する複数の搬送ローラ８、書籍等の原稿を載置する第１コンタクトガラス９、搬送する原稿に対向配置された第２コンタクトガラス１０を備えている。また、第２コンタクトガラス１０に対向配置された第１読取ローラ１１、第２読取部４に対向配置された第２読取ローラ１２を備えている。
【０００９】
原稿トレイ５には、読取対象となる原稿がセットされ、原稿排紙トレイ６には画像の読取が行われた原稿が排出される。原稿搬送経路７は、原稿トレイ５と原稿排紙トレイ６との間に設定された経路で、原稿トレイ５にセットされた原稿が一枚ずつ搬送ローラ８によって順次搬送されるようになっている。通常の使用状態では、原稿の読取動作を行う場合、片面又は両面のいずれかの読取モードを切り替えることにより読取動作が行われる。原稿が片面原稿の場合には、第１読取部３において原稿の表面のみ画像の読取動作が行われ、原稿が両面原稿の場合には、第１読取部３において原稿の表面の読取動作を行い、第２読取部４において原稿の裏面の読取動作を行う。
【００１０】
第１読取部３は、第１コンタクトガラス９上に載置された原稿に対しては光源３ｂ及びミラー群３ｃを組み合わせた光学系を走査移動させてＣＣＤ（Charge Coupled Device）３ａで読取動作を行う。光源３ｂからの光を原稿に照射して原稿からの反射光をミラー群３ｃにより伝送し結像レンズ３ｄに入射してＣＣＤ３ａの受光面に結像させて読取動作を行う。また、原稿搬送経路７を搬送する原稿に対しては第２コンタクトガラス１０に対向配置するように光学系を静置させておき、第２コンタクトガラス１０と第１読取ローラ１１との間（すなわち、原稿搬送経路７上）を原稿が搬送される際に光源３ｂからの光を原稿に照射する。そして、原稿からの反射光をＣＣＤ３ａの受光面に結像させて読取動作を行う。原稿搬送経路７に原稿を搬送する場合、第１読取ローラ１１は駆動用のステッピングモータ（図示せず）により搬送ローラ８と同速で回転駆動され、搬送される原稿の表面を第２コンタクトガラス１０に押し付けるように作用する。第１読取ローラ１１は、原稿搬送経路７を挟んで第１読取部３と所定の間隔を空けて対向配置されており、シェーディングデータ生成時の白基準として使用するために周面が白色とされている。
【００１１】
第２読取部４は、光電変換素子を備えたＣＩＳ（密着イメージセンサ：Contact Image Sensor）からなり、搬送ローラ８により原稿搬送経路７を搬送される原稿の裏面を光電変換素子で読み取り、画像データを得ることができる。第２読取ローラ１２は、原稿搬送経路７を挟んで第２読取部４と所定の間隔を空けて対向配置されており、シェーディングデータ生成時の白基準として使用するために周面が白色とされている。第２読取ローラ１２は、第２読取部４による原稿の読取動作が行われる場合、ステッピングモータ（図示せず）により搬送ローラ８と同速で回転駆動され、原稿が第２読取部４と第２読取ローラ１２との間をスムーズに移動するように作用する。
【００１２】
プリンタ２は、感光体１４、レーザユニット１５、現像器１６、転写器１７、定着部１８等により構成されており、電子写真方式により画像形成処理が行われる。画像形成処理では、感光体１４の表面が帯電器（図示せず）により一様に帯電され、感光体１４の表面に第１読取部３又は第２読取部４で読み取られて画像処理された画像データに基づいてレーザユニット１５により書込動作が行われ、静電潜像が形成される。感光体１４の表面に形成された静電潜像に現像器１６からトナーが転移することで現像化されてトナー像が形成される。現像化されたトナー像は、転写器１７の作用により給紙カセット１９から給紙された用紙２０に転写される。トナー像が転写された用紙２０は、定着部１８で定着処理が行われた後、排紙トレイ２１に排紙される。
【００１３】
図２は、原稿読取装置に関するブロック構成図である。原稿読取装置１は、読取処理部４０、自動原稿搬送部５０及び記憶部６０を備えている。読取処理部４０は、原稿読取部４１、読取再開処理部４２及び画像データ判定部４３を備えている。原稿読取部４１は、第１読取部３及び第２読取部４により原稿を読み取り、読み取った画像データを画像データ記憶部６１に記憶処理する。読取再開処理部４２は、原稿の読取再開時に、再開前の順番とは逆順にセットされた原稿の読取処理を行うとともに元の順番に戻して再開画像データ記憶部６２に記憶処理する。画像データ判定部４３は、原稿の読取再開時に、再開画像データ記憶部６２に記憶された画像データを読取再開前に画像データ記憶部６１に記憶された画像データと比較して一致するか否か判定する。そして、画像データ判定部４３は、読取再開時の画像データと読取再開前の画像データとが３枚以上一致した場合には、画像データが重複していると判定する。
自動原稿搬送部５０は、原稿排出部５１を備えている。原稿排出部５１は、原稿トレイ５にセットされた複数枚の原稿を搬送して原稿排紙トレイ６で排出動作を行う。また、原稿排出部５１は、読取再開時に、画像データ判定部４３が画像データの重複を判定した場合に原稿トレイ５に残っている原稿をすべて排出する。
記憶部６０は、画像データ記憶部６１及び再開画像データ記憶部６２を備えている。画像データ記憶部６１は、原稿読取部４１から出力される画像データを記憶する。再開画像データ記憶部６２は、読取再開時に、読取再開処理部４２から出力される画像データを記憶し、画像データ判定部４３により重複するとされた画像データを削除する。そして、残った画像データを画像データ記憶部６１に記憶された画像データと合体して画像データ記憶部６１に記憶するように処理する。
【００１４】
自動原稿搬送部５０に読み取られる原稿がセットされる。自動原稿搬送部５０は、１枚から複数枚の原稿がセット可能で、セットされた原稿を上方から順番に搬送する。搬送された原稿は、原稿読取部４１により読み取られる。原稿読取部４１は、原稿の片面又は両面の画像を読み取ることが可能である。原稿読取部４１により読み取られた画像は、データ化されて記憶部６０の画像データ記憶部６１に記憶される。読取処理が完了した原稿は、原稿排出部５１により原稿排紙トレイ６に排出される。
こうした読取処理をセットされた原稿の枚数分、繰り返し行っていく中で、何らかの原因で、例えば、原稿のスキュー等により、自動原稿搬送部５０で原稿が詰まってしまうことがある。このとき、読取再開時に、詰まった原稿を残っている原稿に重ね合わせて原稿の順番が逆順となるように天地（上下）逆にして原稿をセットし直し読取処理を行う。読取再開処理部４２は、読み取られた画像データの順番を再開前の元の順番に戻して再開画像データ記憶部６２に記憶する。その際に、画像データ記憶部６１に記憶された再開前の画像データと再開画像データ記憶部６２に記憶された再開後の画像データとを画像データ判定部４３で比較する。画像データ判定部４３は、画像データが３ページ以上連続して一致した場合に、再開後の画像データが再開前の画像データと重複していると判定する。そのため、再開画像データ記憶部６２は、一致した画像データを削除する。そして、自動原稿搬送部５０に残っている原稿は、再開前に読取処理された原稿であり、再度読取処理を行う必要がないので、原稿を読取処理することなく原稿排出部５１により排出する。
【００１５】
図３は、原稿読取処理に関するフローである。ここでは、読取処理する原稿は１００枚で、原稿の両面について読取処理を行う場合について説明する。まず、自動原稿搬送部５０にセットされた原稿を１枚ずつ搬送して、原稿読取部４１で順次読取処理を行う（Ｓ１０１）。そして、原稿搬送時に原稿詰まりが発生していないかチェックし（Ｓ１０２）、原稿詰まりが発生していない場合には（Ｓ１０２；ＮＯ）、ステップＳ１０１に戻り、読取処理を続行する。読み取られた画像データは、画像データ記憶部６１に記憶される。
原稿の読取処理中にＮ枚目の原稿の裏面の画像を読み取る際に何らかの原因で原稿が詰まってしまった場合には（Ｓ１０２；ＹＥＳ）、読取処理を停止して、読取処理を再開するための準備処理が行われる（Ｓ１０３）。その際に、詰まった原稿を残っている原稿の上に重ね合せて、天地（上下）を逆にする。つまり、原稿の順番が逆順となり、原稿の最終ページ（１００枚目）の裏面が最上部になるように自動原稿搬送部５に再セットされる。
原稿が逆順にセットされて読取動作が再開される（Ｓ１０４）。読取再開時に、最初に読み取られる原稿は、再開前の順番が最終ページだった１００枚目の原稿からの再開となる。そして、原稿が表裏逆となって読取処理されるため、読取再開処理部４２は、読み取られた画像データを再開前の元の順番に戻して、再開画像データ記憶部６２に画像データを記憶させる（Ｓ１０５）。
【００１６】
再開後に読取処理したページ数が３ページ以上か判定する（Ｓ１０６）。３ページ分の画像データを比較することで、読取処理を再開したページ位置を判定する。３ページ以上の場合には（Ｓ１０６；ＹＥＳ）、画像データ記憶部６１に記憶されている最後の連続する３ページ分の画像データと再開後に読取処理した最新の連続する３ページ分の画像データをページ毎に比較する（Ｓ１０７）。図４は、画像データの比較処理に関する説明図である。再開後にセットし直された原稿は、元の順番と逆順になるため、元の順番の最後のページとなる１００ページの原稿が再開後の最初のページとして読取再開処理される。そして、９９ページ（再開後の２ページ目）及び９８ページ（再開後の３ページ目）の読取処理を行って３ページ分の原稿の画像データが記憶された場合に、比較処理が行われる。一方、再開前には、Ｎページまでの原稿の読取処理が行われており、Ｎページ分の画像データが記憶されている。
比較処理では、再開後の最新の連続する３ページ分の画像データである９８ページから１００ページの画像データと再開前の最後の連続する画像データである（Ｎ−２）ページからＮページの画像データを比較する。再開後の画像データは元の順番に戻して記憶されているので、９８ページの画像データを（Ｎ−２）ページの画像データと一致するか比較する。また、９９ページの画像データを（Ｎ−１）ページの画像データと一致するか比較し、１００ページの画像データをＮページの画像データと一致するか比較する。そして、比較したすべてのページの画像データが一致しない場合には、次の９７ページ（再開後の４ページ目）の原稿の読取処理を行う。そして、最新の連続する３ページ分の画像データとして、９７ページから９９ページの画像データを選択し、再開前の最後の連続する３ページ分の画像データである（Ｎ−２）ページからＮページの画像データと比較する。５ページ目についても同様に比較処理を行う。こうして、１ページの読取処理を行うたびに３ページ分の比較処理を行っていく。そして、再開後の（１００−Ｎ）ページ目を読取処理した場合に、最新の連続する３ページ分の画像データがＮページから（Ｎ−２）ページの画像データとなる。また、連続する３ページ分の画像データがすべて一致するため、再開前に読取処理したページまで読み取られたことになる。
図３に戻る。再開後に読取処理したページ数が３ページ以上でない場合には（Ｓ１０６；ＮＯ）、ステップＳ１０５に戻り、読取再開処理を続行する。
連続する３ページ分の画像データがすべて一致するか判定し（Ｓ１０８）、一致する場合には（Ｓ１０８；ＹＥＳ）、現在読取処理したページが原稿詰まり時に読取処理したページとして、再開画像データ記憶部６２から重複した画像データを削除する（Ｓ１０９）。３ページ分の画像データがすべて一致していない場合には（Ｓ１０８；ＮＯ）、ステップＳ１０５に戻り、読取再開処理を続行する。
そして、重複した画像データを削除した後、自動原稿搬送部５０に残っている原稿はすでに読取処理した原稿となるため、読取処理を行わずに原稿排出部５１によりそのまま排出処理される（Ｓ１１０）。画像データ記憶部６１及び再開画像データ記憶部６２に記憶された画像データを合体し（Ｓ１１１）、すべての原稿を読取処理した画像データとして、画像データ記憶部６１へ記憶する（Ｓ１１２）。
【００１７】
以上説明したように、自動原稿搬送部において原稿の読取処理中に原稿が詰まった後に読取処理を再開させる場合に、詰まった原稿を残った原稿とともに順番を逆順にセットし直し、原稿の最終ページから読取処理を行う。そして、再開後の読取処理により読み取られた画像データと再開前の読取処理により読み取られた画像データとを比較して、両者が一致した場合に、原稿詰まりが発生した時の原稿であるとすることで、読取処理の再開時のページ欠落及び重複を防止することができる。なお、読取再開時に原稿をセットし直す場合には、すべての原稿を逆順でセットし直すこともできる。
【符号の説明】
【００１８】
１・・・原稿読取装置、４０・・・読取処理部、５０・・・自動原稿搬送部、６０・・・記憶部。
【先行技術文献】
【特許文献】
【００１９】
【特許文献１】特開２００１−０４５２１８号公報
【特許文献２】特開２００５−０５７４０５号公報
【図１】
2014179832.tif 000003
【図２】
2014179832.tif 000004
【図３】
2014179832.tif 000005
【図４】
2014179832.tif 000006